(57)【特許請求の範囲】
【請求項１】
人体の股部分を前後に包囲して密着可能な略Ｕ字状の合成樹脂で成型された柔軟な装着具と、この装着具に接続された制御装置部とからなり、上記装着具には、内側面の中央部に形成され排泄物が溜まる処理凹部と、この処理凹部に接続され開口した洗浄ノズルと、上記処理凹部の底面に形成された排泄物吸引口と、上記処理凹部の周辺に設けられ人体に直接接触して水密的に装着可能な平らな表面部と、上記装着具の両端部外側に各々形成されたベルト架け凹部が設けられ、上記制御装置部には、上記洗浄ノズルに接続された洗浄用配管と、上記排泄物吸引口に接続された吸引用配管と、上記吸引用配管が接続された排泄物タンクと、上記洗浄用配管に接続された洗浄水タンクと、上記吸引及び洗浄水の送水を行うポンプが設けられ、上記装着具を人体の股部分に装着し、ベルト部材を上記ベルト架け凹部に取り付けることにより、上記表面部を人体の股部分に水密的に密着可能であることを特徴とする自動排泄物処理装置。
【請求項２】
上記処理凹部には、上記排泄物吸引口に対向した洗浄ノズルと、上記処理凹部の上記排泄物吸引口を挟んで上記洗浄ノズルとは反対側に設けられた他の洗浄ノズルとが設けられたことを特徴とする請求項１記載の自動排泄物処理装置。
【請求項３】
上記ポンプは、上記洗浄水タンクに接続された配管と上記排泄物タンクに接続された配管とに各々接続され、排泄物の吸引と洗浄水の送水とを兼用していることを特徴とする請求項１または２記載の自動排泄物処理装置。
【発明の詳細な説明】
【０００１】
【発明の属する技術分野】
この発明は、病気や手術等によりトイレで自立的に排泄不能な病人や、寝たきりの老人等に適用する自動排泄物処理装置に関する。
【０００２】
【従来の技術】
従来、自動排泄物処理装置としては、特開２０００−１５７５６４号公報に開示されたものがあった。この装置は、人体の腰臀部を包囲するオムツカップ本体と、これに接続した洗浄水送水ホース、汚物吸引ホース、温風送風ホース、及びオムツカバー等から構成されていた。この自動排泄物処理装置は、排泄物をオムツカップ本体内で洗い流して吸引し、臀部を温風乾燥するものである。
【０００３】
【発明が解決しようとする課題】
上記従来の技術の場合、構成部品の数が多く、組立及び装着が面倒であり、装着感も好ましいものではなかった。また、オムツカップ本体からの汚物等の漏れを替えオムツで吸引し、替えオムツを取り替えるようにしたので、替えオムツの取り替え作業が適宜必要であった。
【０００４】
この発明は、上記従来の技術の問題点に鑑みてなされたもので、簡単な構成で、長時間の使用が可能な自動排泄物処理装置を提供することを目的とする。
【０００５】
【課題を解決するための手段】
この発明は、病院等に入院し、歩行不能な病人や寝たきり老人等に適用する自動排泄物処理装置であって、人体の股部分を前後に包囲して密着可能な略Ｕ字状の柔軟な装着具と、この装着具に接続された制御装置部とからなる。上記装着具には、内側面の中央部に形成され排泄物が溜まる処理凹部と、この処理凹部に接続され開口した洗浄ノズルと、上記処理凹部の底面に形成された排泄物吸引口と、上記処理凹部を囲む周辺に設けられ人体に直接接触して水密的に装着可能な平らな表面部と、上記装着具の両端部外側に各々形成されたベルト架け凹部が設けられている。また、上記制御装置部には、上記洗浄ノズルに接続されたホース等の洗浄用配管と、上記排泄物吸引口に接続されたホース等の吸引用配管と、上記吸引用配管が接続された排泄物タンクと、上記洗浄用配管に所定の管路やシリンダ等の吸引用配管３５装置を経由して接続された洗浄水タンクと、上記吸引及び洗浄水の送水を行うポンプとが設けられている。また、上記装着具は、上記処理凹部を囲むように人体に密着する柔軟な表面部を備え、装着状態で排泄物や洗浄水が漏れないように水密的に装着可能である。
【０００６】
さらに、上記処理凹部には、上記排泄物吸引口に対向した洗浄ノズルと、上記処理凹部の上記排泄物吸引口を挟んで上記洗浄ノズルとは反対側に設けられた他の洗浄ノズルとが設けられている。また、上記ポンプは、上記洗浄水タンクに接続された配管と上記排泄物タンクに接続された配管とに各々接続され、排泄物の吸引と洗浄水の送水とを兼用している。このポンプにより、上記装着具への送気及び乾燥も行う。また、上記ポンプは、送気用の小ポンプと、吸引・洗浄及び乾燥用の大ポンプとにより構成しても良い。
【０００７】
【発明の実施の形態】
以下、この発明の実施の形態について、図面に基づいて説明する。図１〜図８は、この発明の一実施形態の自動排泄物処理装置を示す。この実施形態の自動排泄物処理装置２は、人体の腰臀部に装着される略Ｕ字状の装着具４と、排泄物タンク６、洗浄水タンク８、および空気・水制御回路部１０が備えられている移動自在な制御装置部１２とから成る。
【０００８】
装着具４は、図１〜図５に示すように、人体の股部に位置する中央部１４の内側に、排泄物を溜めて洗浄・吸引する処理凹部２２が形成され、人体の腰部の腹部と背中に当接し密着可能な両端部１６，１８の外側には、ベルト架け凹部１６ａ，１８ａが形成されている。処理凹部２２の底面２６の中央には、排泄物吸引口２８が形成され、排泄物吸引口２８の背中側に当接する端部１８側に位置した処理凹部２２の端には、排泄物吸引口２８に向かって水を噴射すると共に、水噴射時以外は空気を送る洗浄ノズル孔３４が形成されている。排泄物吸引口２８を挟んで洗浄ノズル孔３４とは反対側の処理凹部２２内には、人体の略前側の股部に向かって水を噴霧すると共に、水噴射時以外は空気を送る洗浄ノズル孔３２が設けられている。洗浄ノズル孔３４の隣には、空気のみを送るエアーバイパス孔３０も設けられている。
【０００９】
また、排泄物吸引口２８には、装着具４の中央部１４の外側に、大径の吸引ホース３５が接続され、吸引ホース３５は、排泄物タンク６に接続されている。エアーバイパス孔３０、洗浄ノズル孔３２，３４にも、図６に示すように、排泄物タンク６につながったフレキシブルホース３７，３９，４１が接続されている。
【００１０】
装着具４は、人体の股部前後に当たるように装着されるもので、ベルト架け凹部１６ａ，１８ａに図示しないベルトや紐などのベルト部材を沿わせて付けて取り付け、人体の股部に固定する。この装着具４の材質は、処理凹部２２の周辺に設けられ人体へ直接接触する平らな表面部３６に、人体に接しても柔らかな屈曲自在な合成樹脂が用いられ、縦方向の断面が略Ｕ字状に成型されている。また、処理凹部２２の汚物処理部表面には必要に応じて、排泄物および洗浄水が付着しにくいテフロン処理が成されている。この装着具４は、所定期間毎に取り外して洗浄すれば、長期間使用可能である。
【００１１】
次に、制御装置部１２について図６〜図８を基にして説明する。制御装置部１２は、キャスター１３が取り付けられ、移動自在に設けられている。排泄物タンク６には、取付状態で上部に排泄物吸入孔４０、吸引ポンプ側継手４２、エアー吸引口４４が設けられ、内部には汚物量を検知するレベルセンサ４６が設けられている。吸引継手４２は、フレキシブルホース４３、分岐用継手４５、管路８０，８２を介して空気・水制御回路部１０の大ポンプ４８および小ポンプ５０の吸引側に接続されている。
【００１２】
また、洗浄水タンク８内には、洗浄水に接したフロートスイッチ５２、温度センサ５４、洗浄水Ｗの加温用のヒータ５８、及びエアー配管６０が配置され、エアー配管６０の両端は、洗浄水タンク８の中央側面に設けられたエアー入口継手６２および出口継手６４に接続されている。洗浄水タンク８には、下部側面に洗浄水出口継手６６が設けられ、空気・水制御回路部１０に接続されている。
【００１３】
温度センサ５４からのデータにより、洗浄水５６が設定された適宜の温度範囲になるように、図示しない制御部がヒータ５８をＯＮ／ＯＦＦする。フロートスイッチ５２は、洗浄水Ｗがある設定されたレベル以下になると、図示しない制御部より信号を出して表示し、洗浄水タンク８に水を入れる指示が成される。
【００１４】
空気・水制御回路部１０は、空気供給および吸引のための大ポンプ４８および小ポンプ５０と、この大ポンプ４８と小ポンプ５０を切り換えるための３ポート電磁切換弁６８を備える。さらに、洗浄・吸引と送風を切り換えるための３ポート電磁切換弁７０、洗浄水Ｗを供給するための送水用シリンダ７２と、送水用シリンダ７２を駆動する５ポート電磁切換弁７４を有している。また、洗浄水Ｗの吸引・吐出を切り換える３ポート電磁切換弁７６と、装着具４のエアーバイパス口３０への空気供給及び、洗浄ノズル孔３２，３４へ供給する洗浄水と空気を切り換える３ポート電磁切換弁７８を有し、さらに、図示しない制御用電気回路部が設けられている。
【００１５】
大ポンプ４８および小ポンプ５０の各々吐出口に接続された管路８０，８２は、電磁切換弁６８のＮＣ、ＮＯポートに各々接続されている。また、電磁切換弁６８のＣＯＭポートは、管路８４が接続されて管路８４から分岐用のＴ継手８６で分岐して管路８７を介して洗浄水タンク８のエアー入り口継手６２に接続されているとともに、管路８４を経て電磁切換弁７０のＣＯＭポートに接続されている。さらに管路８４は、管路８４の途中でＴ継手８６の下流側のＴ継手８９により分岐されて、管路８５を介して電磁切換弁７４のＰポートに接続されている。
【００１６】
電磁切換弁７０のＮＣポートには、管路８８が接続され、管路８８の途中には分岐する２個のＴ継手８６ａ，８６ｂが設けられ、始めのＴ継手８６ａの分岐部には空気中に開放されたフイルター９０が接続され、次のＴ継手８６ｂから分岐した管路２本は、電磁切換弁７４のＲ１、Ｒ２ポートに接続されている。電磁切換弁７４のＲ１，Ｒ２，Ｐポートは、反対側のＡ，Ｂポートともに、送水用シリンダ７２の駆動及び給送水用に切り替えられる。また、電磁切換弁７０のＮＯポートには、盲栓が設けられ閉じられている。
【００１７】
さらに、電磁切換弁７４のA、Bポートと送水用シリンダ７２の９２，９４ポートとの間には、管路９３，９５が各々接続されている。この送水用シリンダ７２の洗浄水吐出ポート９６と電磁切換弁７６のＣＯＭポートは、管路９８により接続されている。電磁切換弁７６のＮＯポートと電磁切換弁７８のＮＣポートとは、管路１００が接続され、電磁切換弁７６のＮＣポートと洗浄水タンク８の洗浄水出口継手６６とは、管路１０２が接続されている。電磁切換弁７８のＮＯポートと洗浄水タンク８のエアー出口継手６４とは、管路１０４が接続されている。電磁切換弁７８のＣＯＭポートには、管路１０６が接続され、管路１０６の先端には、分岐するＴ継手１０８が設けられ、分岐してフレキシブルホース３９，４１を経て装着具４の洗浄ノズル孔３２，３４に接続されている。
【００１８】
次に、洗浄時の動作について説明する。先ず、装着具４の装着は、人体の股部分にこの装着具４を当て、図示しないバンドや紐などのベルト部材をベルト架け凹部１６ａ，１８ａに当てて、装着具４を確実に人体に密着させる。この状態で、装着具４の表面部３６が人体に密着し、中の水等が漏れることはない。
【００１９】
この自動排泄物処理装置２は、通常は小ポンプ５０のみ作動しており、大ポンプ４８は電源ＯＦＦにされ作動していない。そして、洗浄動作時であるタイマーＯＮ時または、図示しないリモコンのみ、大ポンプ４８が作動し、小ポンプ５０は電源ＯＦＦとなる。
【００２０】
洗浄時以外は、小ポンプ５０が作動して、図６に示すように、フレキシブルホース４３，継ぎ手４５、配管８２を介して排泄物タンク６内の空気が吸引され、その小ポンプ５０の送気は、電磁切替弁６８を経て配管８７に送られる。配管８７からの空気は、洗浄水タンク８内のエアー配管６０により洗浄水と同温に温められ、配管１０４に送られる。そして、電磁切換弁７８を経て配管１０６を介して洗浄ノズル３２，３４から暖かい空気が送られる。装着具４内に送られた空気は、排泄物吸引口２８、エアーバイパス口３０から吸引され、吸引ホース３５、フレキシブルホース３７を経て、排泄物吸入孔４０、エアー吸引口４４から排泄物タンク６内に吸引される。これにより、装着具４内は常時適度に乾燥した状態を維持する。
【００２１】
また、装着具４の処理凹部２２内部に排泄された排泄物３８の除去吸引動作は、タイマーにより定期的に、またはリモコン操作により随時行われる。洗浄動作に際しては、小ポンプ５０が停止し、電磁切替弁６８のポートが切り換えられ、大ポンプ４８により吸引・送気が行われる。大ポンプ４８の作動により、排泄物タンク６内がより大きく負圧となり、排泄物吸引口２８、フレキシブルホース３５、および排泄物タンク６の排泄物入口孔４０を経て、排泄物が洗浄水とともに排泄物タンク６に吸引蓄積される。
【００２２】
同時に、大ポンプ４８からの送気が、電磁切替弁７０，７４に送られ電磁切替弁７０，７４，７６が図６に示す状態から切り換えられて、送水用シリンダ７２を作動させる。これにより、洗浄水タンク８内の洗浄水を一旦送水シリンダ７２内に吸引し、電磁切替弁７４，７６を図６の状態にして、送水用シリンダ７２から所定の圧力で洗浄水を押し出す。この時、電磁切替弁７８は図６の状態から切り換えられている。これにより、配管９８、電磁切換弁７６，配管１００，電磁切替弁７８を経て配管１０６，フレキシブルホース３９，４１を介して、洗浄ノズル３２，３４から洗浄水が噴射される。
【００２３】
洗浄ノズル３２は洗浄水を噴霧し、人体の局部を洗浄するものであり、洗浄ノズル３４は人体の臀部の後側に位置して、排泄物を排泄物吸引口２８に向かって押し流すように、高圧の噴流が出るように形成されている。送水用シリンダ７２の動作は、適宜の回数例えば３回程度行われ、確実に人体及び装着具４内が綺麗に洗浄される程度まで繰り返される。この後、電磁切替弁７４により送水シリンダ７２の動作を止め電磁切替弁７８を切り換えて、図６に示す状態とし、エアー配管６０で温められた空気を、大ポンプ４８により大量に配管１０４，１０６を経て洗浄ノズル３２，３４から一定時間装着具４内に送り込む。以上の一連の動作が終了すると、大ポンプ４８が停止し、再び小ポンプ５０による空気の循環に切り替えられる。
【００２４】
なお、レベルセンサ４６は、排泄物３８が満杯になると図示しない制御部に信号を出し、排泄物タンク６内部の排泄物３８の廃棄が指示される。
【００２５】
この実施形態の自動排泄物処理装置は、Ｕ字状の装着具４を人体の股部分に装着して密着させ、内部で排泄物を洗い流すようにしたので、装着が簡単であり、柔軟な材料で形成されているため装着感も良好なものである。また、吸飲や洗浄のポンプを大ポンプ４８で兼用し、常時小ポンプ５０で乾燥するようにしているので、消費エネルギーも少なく必要なときには十分な送水吸引が可能となる。さらに、洗浄に際しては、送水シリンダ７２により洗浄水を勢いよく噴射させることができ、排泄物を確実に洗い流すことができ、人体を常時綺麗に保つことが出きる。
【００２６】
【発明の効果】
この発明の自動排泄物処理装置は、簡単な構成で装着具の取り付けが容易であり、装置も小型のものにすることができる。特に、略Ｕ字状の装着具としたので、寝たきりの人の場合でも容易に装着可能であり、内部の処理凹部に溜まった排泄物の吸引及び洗浄が確実に行われる。また、装着具は長期間の使用が可能であり、洗浄して何回も使用可能である。そして、これにより病人や寝たきり老人等が嫌がるおむつの取り付け取り外しの回数を大幅に減らすことができる。
【図面の簡単な説明】
【図１】  この発明の一実施形態の自動排泄物処理装置の装着具の斜視図である。
【図２】  この発明の一実施形態の自動排泄物処理装置の装着具の縦断面図である。
【図３】  この発明の一実施形態の自動排泄物処理装置の装着具の平面図である。
【図４】  図２の自動排泄物処理装置の装着具のＡ−Ａ線拡大断面図である。
【図５】  図２の自動排泄物処理装置の装着具のＢ−Ｂ線拡大断面図である。
【図６】  この発明の一実施形態の自動排泄物処理装置の制御装置部の回路図である。
【図７】  この発明の一実施形態の自動排泄物処理装置の制御装置部の平面図である。
【図８】  この発明の一実施形態の自動排泄物処理装置の制御装置部の側面図である。
【符号の説明】
２    自動排泄物処理装置
４    装着具
６    排泄物タンク
８    洗浄水タンク
１０  空気・水制御回路部
１２  制御装置部
１４  中央部
２８  排泄物吸引口
３２，３４  洗浄ノズル
３５  吸引ホース
４８  大ポンプ
５０  小ポンプ
６８，７０，７４，７６，７８  電磁切換弁
７２  送水用シリンダ
【図１】
0003749097.tif 000002
【図２】
0003749097.tif 000003
【図３】
0003749097.tif 000004
【図４】
0003749097.tif 000005
【図５】
0003749097.tif 000006
【図６】
0003749097.tif 000007
【図７】
0003749097.tif 000008
【図８】
0003749097.tif 000009